(57)【特許請求の範囲】
【請求項１】
後壁部が取外し可能な円筒状のケーシングと、
上記ケーシング内に収容され、先端部がケーシングの前側に突出される出力軸を有するモータと、
上記出力軸の先端部に回転一体に取付けられたプロペラとを備えた水中機械であって、
上記ケーシング内の後部には、上記出力軸の後端部を支持する支持部がケーシングに対し着脱可能に設けられ、
上記支持部には、上記出力軸と略同心状に位置する分解用ねじ孔を有するブラケット部が設けられており、
上記ケーシングの後壁部を取外して上記分解用ねじ孔を露出させ、該分解用ねじ孔にねじ部材を螺合して、該ねじ部材の先端を上記出力軸の後端面に当接させた状態で螺進させることにより、ねじ部材で支持部を後方へ引っ張り移動させてケーシングから取外すようにしたことを特徴とする水中機械。
【請求項２】
請求項１の水中機械において、
ケーシングの後壁部には、水中機械をガイドバーに対し昇降可能に支持するスライド部が取付ボルトにより取外し可能に固定され、
ねじ部材は上記取付ボルトであることを特徴とする水中機械。
【請求項３】
水槽中の貯留水を撹拌する水中ミキサであることを特徴とする請求項１又は２の水中機械。
【発明の詳細な説明】
【０００１】
【発明の属する技術分野】
本発明は、下水処理場や貯水場等の水槽において使用される水中機械に関し、特に水中機械をケーシングの後側から分解するときの作業性を高めるための技術分野に属する。
【０００２】
【従来の技術】
一般に、例えば下水処理場や貯水場等に貯留されている貯留水を浄化する目的で、その貯留水を攪拌する水中ミキサが知られている。この水中ミキサは、例えば密閉円筒状のケーシングと、このケーシング内に収容され、先端部がケーシングの前側に突出される出力軸を有するモータと、この出力軸の先端部に回転一体に取付けられたプロペラとを備えており、そのモータを作動させてプロペラを回転させることにより、貯留水中に旋回流を発生させて、貯留水を撹拌するように使用される。
【０００３】
【発明が解決しようとする課題】
ところで、このような水中ミキサを、そのケーシング内に設けられた軸受部やモータのステータ、ロータ等の点検や修理等の目的で分解する場合に、プロペラ側とは反対の出力軸後端部側から分解する必要の生じることがある。
【０００４】
しかし、出力軸の後端部を支持する支持部がインロー部の取付け等によってケーシングに堅固に組み付けられているため、ケーシングの後側より分解することはできず、モータを完全に分解しなけらばならないという問題があった。
【０００５】
本発明は斯かる点に鑑みてなされたものであり、その目的とするところは、水中ポンプ等の水中機械の出力軸後端部を支持する支持部の構造に改良を加えることにより、水中機械をケーシング後側から効率よく分解できるようにしようとすることにある。
【０００６】
【課題を解決するための手段】
上記の目的を達成するために、この発明では、ケーシングの後壁部を他の部分から取外し可能とするとともに、ケーシング内の後部に出力軸後端部支持用の支持部をケーシングに対し着脱可能に設け、この支持部をねじにより出力軸に対し相対移動させて容易に後方に引っ張り出せるようにした。
【０００７】
具体的には、請求項１の発明では、後壁部が取外し可能な円筒状のケーシングと、このケーシング内に収容され、先端部がケーシングの前側に突出される出力軸を有するモータと、この出力軸の先端部に回転一体に取付けられたプロペラとを備えた水中機械であって、上記ケーシング内の後部には、上記出力軸の後端部を支持する支持部がケーシングに対し着脱可能に設けられ、上記支持部には、上記出力軸と略同心状に位置する分解用ねじ孔を有するブラケット部が設けられており、上記ケーシングの後壁部を取外して上記分解用ねじ孔を露出させ、該分解用ねじ孔にねじ部材を螺合して、該ねじ部材の先端を上記出力軸の後端面に当接させた状態で螺進させることにより、ねじ部材で支持部を後方へ引っ張り移動させてケーシングから取外すように構成する。
【０００８】
上記の構成によると、まず、水中機械をケーシング後側から分解する場合に、上記ケーシングの着脱可能な後壁部を取外して、支持部のブラケット部に設けられた分解用ねじ孔を露出させ、この分解用ねじ孔にねじ部材を螺合する。そして、このねじ部材の先端をねじ孔前側にある出力軸の後端面に当接させた状態で螺進させることにより、ねじ部材のみで支持部を出力軸に対し後方へ引っ張って、スライド移動させる。このことで、支持部を容易にケーシングより取外すことができる。従って、支持部がケーシングに堅固に組み付けられている場合であっても、モータを完全に分解する必要はなく、効率よくケーシング後側から水中機械を分解することができる。
【０００９】
請求項２の発明では、ケーシングの後壁部には、水中機械をガイドバーに対し昇降可能に支持するスライド部が取付ボルトにより取外し可能に固定され、ねじ部材はその取付ボルトであるとする。
【００１０】
上記構成によると、ケーシング後側からの分解作業において、その前工程として、取付ボルトを抜き取った後にスライド部をケーシングの後壁部から取外し、この取外し作業において抜き取った取付ボルトを、後工程の支持部の取外し作業においてブラケットのねじ孔に螺合させ、その螺進による作用で支持部材を後方に引っ張り移動させればよい。従って、分解用に専用のねじ部材を必要とせず、既存の取付ボルトをねじ部材として兼用することができ、分解作業性を高めることができる。
【００１１】
請求項３の発明では、水中機械は水槽中の貯留水を撹拌する水中ミキサとする。このことで、モータを完全に分解することなく容易に作業性よく水中ミキサの点検を行うことができる。
【００１２】
【発明の実施の形態】
図７において、Ｐは例えば下水処理場、各種工場等での貯水場、池湖水、壕、養魚場等からなる水槽で、この水槽Ｐの側壁Ｐ１にはガイドバー１が水槽Ｐ内の水中位置たる底面Ｐ２近くから水面Ｗよりも上方の位置たる水槽Ｐ周りの床面Ｐ３近くまで延びるように立設され、このガイドバー１の上端部は側壁Ｐ１に取付固定される上部ブラケット２により、また下端部は底面Ｐ２に取付固定される下部ベース３によりそれぞれ回転可能に支持されている。
【００１３】
上記ガイドバー１には、水中機械としての水中ミキサ５が昇降可能に支持されている。図１に示すように、この水中ミキサ５は、密閉円筒状のケーシング６と、このケーシング６内に収容され、先端部がケーシング６の前側に突出される出力軸１０を有するモータ１１と、このモータ１１の出力軸１０の先端部に回転一体に取付けられたプロペラ１２とを有している。尚、貯留水の攪拌エネルギーを効果的に遠距離まで持続させる目的で、上記プロペラ１２の周りに、前方に向かって小径となる環状の案内板１３が設けられている。
【００１４】
上記ケーシング６は、前壁部を有しかつ上記モータ１１が収容されたケーシング本体８と、このケーシング本体８の後端部に取外し可能に固定された後壁部７とからなり、後壁部７には、水中ミキサ５をガイドバー１に昇降可能に支持するためのスライド部１５が一体的に取付固定されている。このスライド部１５は、スライド部本体１５ａと、このスライド部本体１５ａの左右両側部から後方に互いに平行に延びる一対の支持板部１５ｂ，１５ｂとからなる断面コ字状に形成されている。支持板部１５ｂ，１５ｂの先端部（後端部）の内面には上下１対のローラ（図示せず）が軸支されている。さらに、図５に示すように、上記ケーシング６の後壁部７には、スライド部用ねじ穴７ａ，７ａ，…が設けられている一方、スライド部１５のスライド部本体１５ａには、上記スライド部用ねじ穴７ａ，７ａ，…に対応するように取付孔１５ｃ，１５ｃ，…が設けられている。そして、図６に示すように、ねじ部材としての取付ボルト１７，１７，…をスライド部１５の取付孔１５ｃ，１５ｃ，…に挿通して後壁部７のスライド部用ねじ穴７ａ，７ａ，…に螺合締付することにより、スライド部１５がケーシング６の後壁部７に取付固定されている。この状態で、上記スライド部１５の本体１５ａ、支持板１５ｂ，１５ｂ及びローラの間に上記ガイドバー１を挟み込んだ状態で水中ミキサ５を昇降可能に支持する。
【００１５】
尚、図７に示すように、ケーシング６の後壁部７には、内部のモータ１１に電力を供給するための電力ケーブル１８が水密状に貫通されている。また、ケーシング本体８の外周面には、上方（図７における上側）に延びる支持プレート１９が固着され、この支持プレート１９には複数の貫通孔１９ａ，１９ａ，…が前後に並んで開口されており、これらのいずれか一つにチェーン２０の下端部を接続し、このチェーン２０の上端部を上部ブラケット２に係止保持することによって、水中ミキサ５がチェーン２０により吊り下げられた状態で支持されている。
【００１６】
そして、図２に拡大詳示するように、上記ケーシング６内の後部には、上記出力軸１０の後端部１０ａを支持する略円板状の支持部２５がケーシング本体８に対し着脱可能に設けられている。すなわち、図３にも示すように、支持部２５の外周部には前側に突出するフランジ部２５ａが形成されている。そして、ケーシング本体８の内周面後端部には段差状の被嵌合溝８ａが設けられている。一方、図４にも示すように、支持部２５のフランジ部２５ａの外周面前端部には、上記被嵌合溝８ａに嵌合される嵌合溝２５ｂが設けられており、これら被嵌合溝８ａと嵌合溝２５ｂとの嵌合により支持部２５がケーシング本体８に位置決めされて固定されている。尚、この支持部２５には放射状に延びる板状の補強リブ２５ｃ，２５ｃ，…が設けられいる。
【００１７】
そして、図２に示すように、支持部２５の中心部には前方に突出する円筒状の軸受部２５ｄが一体形成され、この軸受部２５ｄ内に上記出力軸１０の後端部１０ａがベアリング２６を介して回転可能に支持されている。
【００１８】
さらに、図１及び図３に示すように、上記支持部２５のフランジ部２５ａの後面には、複数の有底状の植込ボルト用ねじ穴２５ｅ，２５ｅ，…と、複数の貫通状の通しボルト用孔２５ｆ，２５ｆ，…とがそれぞれ円周方向に等間隔をあけて設けられ、植込ボルト用ねじ穴２５ｅに植込ボルト２８が螺合固定されている一方、通しボルト用ねじ孔２５ｆには通しボルト２９が挿通され、この通しボルト２９の先端部はケーシング本体８に螺合締結されており、この通しボルト２９，２９，…によって支持部２５がケーシング本体８に一体的に取付固定されている。
【００１９】
同様に、図５及び図６に示すように、上記ケーシング６の後壁部７には、植込ボルト挿入孔７ｂ，７ｂ，…が上記植込ボルト用ねじ穴２５ｅ，２５ｅ，…に対応するように設けられている。そして、この植込ボルト挿入孔７ｂ，７ｂ，…に上記支持部２５に螺合固定されている植込ボルト２８，２８，…を挿入して、この植込ボルト２８，２８，…にナット３０，３０，…を螺合締結することで、支持部２５が後方からケーシング６の後壁部７によって覆われ、かつ後壁部７が支持部２５に締付固定されて、ケーシング６が水密状に保たれている。
【００２０】
また、図２に示すように、上記支持部２５における軸受部２５ｄの後側にはその底壁を構成するブラケット部２５ｇが一体に形成され、このブラケット部２５ｇの中心には上記出力軸１０と略同心状に位置する分解用ねじ孔２７が開口されている。この分解用ねじ孔２７と出力軸１０の後端部１０ａの後端面１０ｂとは互いに近接して配設され、分解用ねじ孔２７に上記取付ボルト１７が螺合可能とされている。
【００２１】
次に、上記実施形態において、ケーシング６の後側から水中ミキサ５を分解する手順を説明する。まず、図６に示すように、スライド部１５をケーシング６の後壁部７に螺合固定している取付ボルト１７，１７，…を緩めて取外し、ケーシング６からスライド部１５を取外す。
【００２２】
次に、植込ボルト２８，２８，…に螺合されているナット３０，３０，…を取外し、ケーシング６の後壁部７をケーシング６内後部の支持部２５から取外す。
このことで、支持部２５が露出する。
【００２３】
そして、通しボルト２９を取外した後、図１及び図２に示すように、上記露出した支持部２５におけるブラケット部２５ｇの分解用ねじ孔２７に前工程で取外した上記取付ボルト１７を後方から螺合して、螺進させる。すると、その途中で、この取付ボルト１７の先端は、分解用ねじ孔２７に略同心状に位置する上記出力軸１０の後端面１０ｂに当接し、この当接状態で取付ボルト１７をさらに螺進させると、今度は、取付ボルト１７で支持部２５が後方へ引っ張り移動される。
このことにより、支持部２５がケーシング本体８から取外される。
【００２４】
このとき、前工程であるスライド部１５の取外し作業で取外された取付ボルト１７を後工程の支持部２５の取外し作業において用いるので、取外し用のボルトを別途に用意する必要がなく、取付ボルト１７を分解用のねじ部材として利用することができる。
【００２５】
よって、支持部２５がケーシング６に堅固に組み付けられている場合であっても、モータ１１を完全に分解することなく、効率よくケーシング６後側から水中ミキサ５を分解することができる。
【００２６】
尚、上記実施形態では、ねじ部材はスライド部１５を取付固定するための取付ボルト１７としているが、支持部２５の取外し作業の前工程で取外されるねじ部材であればよく、さらには、支持部２５のブラケット部２５ｇの分解用ねじ孔２７と同じサイズであれば、他のものを用いてもよい。
【００２７】
また、上記実施形態では、水中機械は水槽中の貯留水を撹拌する水中ミキサとしているが、例えば水中ポンプや水中エアレータ等の他の水中機械であってもよく、同様の作用効果が得られる。
【００２８】
【発明の効果】
以上説明したように、請求項１の発明によると、水中機械のケーシング内に、出力軸後端部を支持する支持部を取外し可能に設け、この支持部に、出力軸と略同心状の分解用ねじ孔を有するブラケットを設けたことにより、ケーシングの後壁部を取外して露出した分解用ねじ孔にねじ部材を螺合して螺進させ、ねじ部材で支持部を後方へ引っ張って取外すことができ、水中機械を効率よくケーシング後側から分解することができる。
【００２９】
請求項２の発明によると、ねじ部材は、スライド部をケーシング後壁部に取外し可能に固定するボルトとしたことにより、水中機械をさらに効率よく分解することができる。
【００３０】
請求項３の発明によると、水中機械は水槽中の貯留水を撹拌する水中ミキサとしたことにより、水中ミキサを完全に分解する必要がなく、その点検を容易に作業性よく行うことができる。
【図面の簡単な説明】
【図１】本発明の実施形態における水中ミキサをケーシング後側から分解する作業を示す図である。
【図２】分解作業での要部を拡大して示す断面図である。
【図３】図１のIII方向矢視図である。
【図４】支持部の断面図である。
【図５】図１のV方向矢視図である。
【図６】スライド部をケーシング後端部から取外す作業状態を示す図である。
【図７】水中ミキサの貯水槽への設置状態を示す斜視図である。
【符号の説明】
５  水中ミキサ
６  ケーシング
７  後壁部
１０  出力軸
１０ａ  後端部
１０ｂ  後端面
１１  モータ
１２  プロペラ
１５  スライド部
１７  取付ボルト
２５  支持部
２５ｇ  ブラケット部
２７  分解用ねじ孔
【図１】
0004624614.tif 000002
【図２】
0004624614.tif 000003
【図３】
0004624614.tif 000004
【図４】
0004624614.tif 000005
【図５】
0004624614.tif 000006
【図６】
0004624614.tif 000007
【図７】
0004624614.tif 000008